(57)【要約】      （修正有）【課題】医療用コンピュータ装置とドッキングして、装置から医療データをリモートサーバシステムに転送する医療装置接続ステーションを提供する。【解決手段】医療装置接続ステーション１０は、ドッキングした医療装置６から医療データ４を取得し、サーバシステム８に接続し、データセッションを取得して医療データをサーバシステムに転送する。医療装置接続ステーションは、第１位置と第２位置の間で可動となるように本体に連結された蓋を備える。蓋は、第１位置においてはドッキングインタフェースの第１部分が医療装置６のドッキングインタフェースの第２部分とドッキングすることを妨げ、第２位置においては、ドッキングインタフェースの第１部分がドッキングインタフェースの第２部分とドッキングが可能とする。医療装置接続ステーションは、第１、第２位置間の蓋の動作を感知する蓋動作感知部をさらに備え、それによりサーバシステムへの接続を開始する。【選択図】図１
2020074116.tif 000002
【特許請求の範囲】
【請求項１】
本体（１４）と制御部（３８）を備え、本体（１４）のドッキングインタフェース（２４）の第１部分は医療装置（６）の、対応するドッキングインタフェース（９４）の第２部分とドッキングし、制御部（３８）は、ドッキングした医療装置との通信のための医療装置通信インタフェース（４０）とサーバ通信インタフェースを制御し、制御部はドッキングした医療装置から医療装置通信インタフェースを介し医療データを取得するよう構成され、さらに、サーバ通信インタフェースを介してサーバシステム（８）に接続し、データセッションを取得するよう構成され、それにより医療データをサーバシステムに転送する医療装置接続ステーション（１０）であって、医療装置接続ステーションはさらに、第１位置と第２位置の間で可動となるように前記本体に連結された蓋（６２）を備え、蓋は、第１位置においてはドッキングインタフェースの第１部分が医療装置のドッキングインタフェースの第２部分とドッキングすることを妨げ、第２位置においては、ドッキングインタフェースの第１部分がドッキングインタフェースの第２部分とドッキングが可能となることを特徴とし、さらに、医療装置接続ステーションが第１位置と第２位置の間の蓋の動作を感知するよう構成された蓋動作感知部（７６）をさらに備え、それにより制御部に信号を送り、制御部は前記信号を受信するとサーバシステムへの接続を開始するよう構成されたことを特徴とする、医療装置接続ステーション。
【請求項２】
蓋動作感知部は機械的に起動され、スイッチ部（８６）及び起動部材（７８）を備え、起動部材は、蓋が第１位置と第２位置の間で動くにつれ、スイッチ部に係合しスイッチ部を起動するよう構成され、スイッチ部は信号を送るよう構成される請求項１に記載の接続ステーション。
【請求項３】
蓋が本体に回動可能に連結された請求項１または２に記載の接続ステーション。
【請求項４】
蓋動作感知部は、蓋とともに回動して起動部材を起動することができるカムを備え、起動部材は本体に回動可能に連結された請求項２または３に記載の接続ステーション。
【請求項５】
スイッチ部、制御部、医療装置通信インタフェース及びサーバ通信インタフェースが回路基板に実装され、回路基板は本体底部に隣接し、蓋からは遠くに配置される請求項４に記載の接続ステーション。
【請求項６】
蓋動作感知部は、第２位置から第１位置への蓋の動きを感知し、それによりさらなる信号を制御部に送るよう構成され、制御部は前記さらなる信号を受け取るとサーバシステムとの接続を終了するよう構成される請求項１から５のいずれか１項に記載の接続ステーション。
【請求項７】
蓋が第１位置にあるときに蓋がドッキングインタフェースの第１部分を覆うように蓋と本体が構成される請求項１から６のいずれか１項に記載の接続ステーション。
【請求項８】
サーバ通信インタフェースがＳＩＭカードコネクタを含むセル式携帯電話ネットワークインタフェースを備える請求項１から７のいずれか１項に記載の接続ステーション。
【請求項９】
本体と制御部を備え、本体のドッキングインタフェースの第１部分は医療装置の対応するドッキングインタフェースの第２部分とドッキングし、制御部は、ドッキングした医療装置との通信のための医療装置通信インタフェースとサーバ通信インタフェースを制御し、制御部はドッキングした医療装置から医療装置通信インタフェースを介し医療データを取得するよう構成され、さらに、サーバ通信インタフェースを介してサーバシステムに接続し、データセッションを取得するよう構成され、それにより医療データをサーバシステムに転送し、サーバ通信インタフェースはＳＩＭカードコネクタ（３２）を含むセル式携帯電話ネットワークインタフェースを備える、医療装置接続ステーション。
【請求項１０】
医療装置通信インタフェースは赤外線インタフェースを備える請求項１から９のいずれか１項に記載の接続ステーション。
【請求項１１】
赤外線インタフェースがドッキングインタフェース空洞（２６）の底壁（２８）の透過窓（３４）を通して医療データを受け取ることができる請求項１０に記載の接続ステーション。
【請求項１２】
サーバ通信インタフェースが有線ネットワークインタフェースを備える請求項１から１１のいずれか１項に記載の接続ステーション。
【請求項１３】
サーバ通信インタフェースがＷＬＡＮネットワークインタフェースを備える請求項１から１２のいずれか１項に記載の接続ステーション。
【請求項１４】
暗号化アルゴリズムを有する制御モジュールを備え、前記制御モジュールは受け取った医療データを暗号化するよう構成され、制御部は暗号化された医療データをサーバシステムに転送するよう構成される請求項１から１３のいずれか１項に記載の接続ステーション。
【請求項１５】
制御部は所定の時間経過後にサーバシステムとの接続を終了するよう構成される請求項１から１４のいずれか１項に記載の接続ステーション。
【請求項１６】
医療装置が薬剤投与装置である請求項１から１５のいずれか１項に記載の接続ステーション。
【請求項１７】
医療データが薬剤投与計画に関連したものである請求項１から１６のいずれか１項に記載の接続ステーション。
【請求項１８】
医療データを取得できる医療装置、サーバシステム、及び請求項１から１７のいずれか１項に記載の医療装置接続ステーションを備え、医療装置からサーバシステムに医療データを転送するシステム。
【請求項１９】
インターネット上でサーバシステムの医療データにリモートでアクセスするよう構成されたリモートのコンピュータ装置をさらに備える請求項１８記載のシステム。
【請求項２０】
請求項１から１７のいずれか１項に記載の医療装置接続ステーションを用い、医療装置からサーバシステムに医療データを転送する方法であって、
（ａ）医療装置上の医療データを取得することと、
（ｂ）蓋を第１位置から第２位置に動かすことにより、接続ステーションをサーバシステムに接続することと、
（ｃ）ドッキングインタフェースの第１部分と第２部分を連結することにより、医療装置を接続ステーションにドッキングさせることと、
（ｄ）医療装置の通信インタフェース及び接続ステーションの医療装置通信インタフェースを介して、医療データを医療装置から接続ステーションに転送することと、
（ｅ）接続ステーションのサーバ通信インタフェースを介して、医療データを接続ステーションからサーバシステムに転送することと
を含む方法。
【請求項２１】
受け取った医療データを制御モジュールの暗号化アルゴリズムにより接続ステーション上で暗号化し、前記暗号化された医療データをサーバシステムに転送することをさらに含む請求項２０に記載の方法。
【請求項２２】
医療データをサーバシステムのデータベース上に保存することをさらに含む請求項２０又は２１に記載の方法。
【請求項２３】
コンピュータ装置を用いインターネットを介しサーバシステムの医療データにリモートでアクセスすることをさらに含む請求項２０から２２のいずれか１項に記載の方法。
【請求項２４】
請求項１から１６のいずれか１項に記載の医療装置接続ステーションを用い、医療装置からサーバシステムに医療データを転送する方法であって、
（ａ）医療装置上の医療データを取得することと、
（ｂ）接続ステーションをサーバに接続することと、
（ｃ）ドッキングインタフェースの第１部分と第２部分を連結することにより、医療装置を接続ステーションにドッキングさせることと、
（ｄ）医療装置の通信インタフェース及び接続ステーションの医療装置通信インタフェースを介して、医療データを医療装置から接続ステーションに転送することと、
（ｅ）接続ステーションのサーバ通信インタフェースを介して、医療データを接続ステーションからサーバシステムに転送することと
を含む方法。
【請求項２５】
医療データを薬剤投与装置からサーバシステムに転送する方法であって、薬剤投与装置は信号処理回路を備え、信号処理回路は、制御部、医療データ取得部、記憶部、及びサーバ通信インタフェースを備え、制御部は、医療データ取得部が取得した医療データを処理し前記医療データを記憶部に保存するよう構成され、制御部はさらに、サーバ通信インタフェースを介しサーバシステムに接続しデータセッションを取得し、それにより医療データをサーバシステムに転送するよう構成され、サーバ通信インタフェースはセル式携帯電話ネットワークインタフェースを備え、
（ａ）薬剤投与装置上の医療データを取得することと、
（ｂ）薬剤投与装置をサーバに接続することと、
（ｃ）薬剤投与装置からの医療データを薬剤投与装置のサーバ通信インタフェースを介しサーバシステムに転送することと
を含む方法。
【請求項２６】
信号処理回路の制御モジュールの暗号化アルゴリズムを用い、取得した医療データを暗号化することと、暗号化された医療データをサーバシステムに転送することとをさらに含む請求項２４又は２５に記載の方法。
【請求項２７】
前記医療データをサーバシステムのデータベースに保存することをさらに含む請求項２４から２６のいずれか１項に記載の方法。
【請求項２８】
コンピュータ装置を用いインターネットを介しサーバシステムの医療データにリモートでアクセスすることをさらに含む請求項２４から２７のいずれか１項に記載の方法。
【請求項２９】
医療データを取得できる医療装置、サーバシステム、及び請求項１から１７のいずれか１項に記載の医療装置接続ステーションを備え、医療データを医療装置からサーバシステムに転送するシステム。
【請求項３０】
医療データを薬剤投与装置からサーバシステムに転送するシステムであって、薬剤投与装置とサーバシステムを備え、薬剤投与装置は信号処理回路を備え、信号処理回路は、制御部、医療データ取得部、記憶部、及びサーバ通信インタフェースを備え、制御部は、医療データ取得部が取得した医療データを処理し前記医療データを記憶部に保存するよう構成され、制御部はさらに、サーバ通信インタフェースを介しサーバシステムに接続しデータセッションを取得し、それにより医療データをサーバシステムに転送するよう構成され、サーバ通信インタフェースはセル式携帯電話ネットワークインタフェースを備えるシステム。
【請求項３１】
インターネットを介しサーバシステムの医療データにリモートでアクセスするよう構成されたリモートコンピュータ装置をさらに備える請求項２９又は３０に記載のシステム。
【請求項３２】
薬剤投与装置であって、信号処理回路を備え、信号処理回路は、制御部、医療データ取得部、記憶部、及びサーバ通信インタフェースを備え、制御部は、医療データ取得部が取得した医療データを処理し前記医療データを記憶部に保存するよう構成され、制御部はさらに、サーバ通信インタフェースを介しサーバシステムに接続しデータセッションを取得し、それにより医療データをサーバシステムに転送するよう構成され、サーバ通信インタフェースはＳＩＭカードコネクタを含むセル式携帯電話ネットワークインタフェースを備える薬剤投与装置。
【請求項３３】
暗号化アルゴリズムを有する制御モジュールを備え、制御モジュールは、取得した医療データを暗号化するよう構成され、制御部は暗号化された医療データをサーバシステムに転送するよう構成される請求項３２に記載の薬剤投与装置。
【請求項３４】
制御部がユーザインタフェースから信号を受け取りサーバシステムへの接続を開始するよう構成される請求項３２又は３３に記載の薬剤投与装置。
【請求項３５】
制御部が所定の時刻にサーバシステムへの接続を開始するよう構成される請求項３２から３４のいずれか１項に記載の薬剤投与装置。
【請求項３６】
制御部が、所定の時間経過後または医療データの転送終了後にサーバシステムとの接続を終了するよう構成される請求項３２から３５のいずれか１項に記載の薬剤投与装置。
【発明の詳細な説明】
【技術分野】
【０００１】
本発明は医療用コンピュータ装置とドッキングして、その装置から医療データをリモートサーバシステムに転送するよう構成された医療装置接続ステーションに関する。
【背景技術】
【０００２】
電子式薬剤投与装置等の医療用コンピュータ装置には、装置の使用に関する使用データを記録するものが増えてきている。医療用コンピュータ装置が薬剤投与装置である例について言えば、使用データには、実施された投与計画、例えば薬剤の投与量、関連する投薬歴、所定の投与計画の遵守状況が含まれ得る。そのような薬剤投与装置の例として、国際公開第２００５／０７７４４１号、国際公開第２００６／０８５１７５号、国際公開第２００６／０８５２０４号、及び国際公開第２００７／０８８４４４号があり、関連する製品が、Ｍｅｒｃｋ  Ｓｅｒｏｎｏ  Ｓ．ＡによりＲｅｂｉＳｍａｒｔ（商標）及びＥａｓｙｐｏｄ（商標）の商標名で提供されている。代替例として、薬剤投与装置に通信インタフェースを設け、中間の医療用コンピュータ装置と通信し、そこに使用パラメータを転送し記録することもできる。
【０００３】
記録した使用データはサーバシステムに供給し、データが永続的にサーバシステム上のデータベースに保存され、必要な場合には後から医療専門家が分析できるようにすることが望ましい。記録データをそのように提供する方法としては、データ転送のため、サーバシステムと通信する接続ステーションに上記薬剤投与装置がドッキングするように構成し、薬剤投与装置とサーバシステム間のデータ交換を接続ステーションを介して行うことが考えられる。接続ステーションにこのような機能を持たせることは、薬剤投与装置にその機能を組み込むことに比べ、種々の管轄官庁、例えば米国食品医薬品局（ＦＤＡ）の承認の点で利点がある。特に、新機能を組み込んだ薬剤投与装置は承認に数年を要することがあるが、承認済みの薬剤投与装置と組み合わせて用いる接続ステーションであればそのような承認は必要とされない。
【０００４】
接続ステーションを用いる場合、薬剤投与装置を接続ステーションとドッキングさせ、その後アクチュエータを押下して接続ステーションとサーバシステム間の接続及びその後のデータセッションを開始することができる。
【０００５】
そのような接続ステーション操作の欠点として、使用者がアクチュエータの押下を忘れ、そのため医療装置が接続ステーションにドッキングしていてもデータセッションが行われない可能性がある。また、使用者にとってアクチュエータの押下が難しい場合もある。この問題は、多発性硬化症等の、症状が視力、運動、感覚の障害、及び認知障害として現れる疾患の場合には、より深刻な問題となり得る。
【０００６】
別の欠点として、使用時の利便性のためには、医療用コンピュータ装置と接続ステーション間のドッキングインタフェースは、実質的に垂直方向に操作するものであることが望ましい。しかし、そのような配置の場合、接続ステーションのドッキングインタフェースが露出してしまい塵や埃で汚染される可能性がある。
【０００７】
別の欠点として、医療用コンピュータ装置を接続ステーションにドッキングさせ、その後にアクチュエータを押下してサーバシステム接続を開始するやり方では、データセッションの開始に遅延が生じる。
【０００８】
従来の医療用コンピュータ装置には、ユーザインタフェースとして、医療データ表示用の表示手段と、医療装置操作用の選択キーを備えたユーザ用入力装置が提供されるものがあった。医療データの分析のためには、この装置を使っている患者が装置を医療専門家（ＨＣＰ）のところに持ち込み、ＨＣＰはユーザインタフェースを用いて医療データを閲覧する。その後、ＨＣＰがリモートのサーバシステムに手動でデータを入力し、データがその後の分析のためそこに保存される。このシステムの欠点として、ＨＰＣが誤った医療データをサーバシステムに入力する可能性がある。また、患者にとって、医療データ分析のために医療用コンピュータ装置をＨＣＰの元へ運ぶことは負担であり、医療データのサーバシステムへの入力はＨＣＰにとって負担である。
【発明の概要】
【０００９】
本発明の目的は、便利で使いやすい医療用コンピュータ装置接続ステーションを提供すること、特に、装置の扱いを一層困難にするような症状を抱える患者にも便利で使いやすい装置を提供することである。
【００１０】
ドッキングインタフェースの汚染に関する問題がない医療用コンピュータ装置接続ステーションを提供することは有利である。
【００１１】
リモートサーバシステムに接続しデータセッションを便利よく開始できる医療用コンピュータ装置接続ステーションを提供することは有利である。
【００１２】
経済的で製造が容易な医療用コンピュータ装置接続ステーションを提供することは有利である。
【００１３】
患者が地理的にサーバシステムから離れた様々な場所にいるときに医療データを便利よく転送できる医療用コンピュータ装置を提供することは有利である。
【００１４】
特に、多発性硬化症治療用のＲｅｂｉｆ（商標）等、治療計画の一環として定期的な薬剤投与が必要な患者に対してそのような装置は特に有利である。なぜならば、患者は旅行中も薬剤投与装置を携行する必要があるが、サーバシステムを利用するためのインタフェース端末が確保できるとは限らないからである。
【００１５】
本発明の種々の目的は、以下により達成される。
請求項１に記載の医療装置接続ステーション、
請求項９の医療装置接続ステーション、
請求項１８に記載の、医療データを医療装置からサーバシステムに転送するシステム、
請求項２０に記載の、医療データを医療装置からサーバシステムに転送する方法、
請求項２４に記載の、医療データを医療装置からサーバシステムに転送する方法、
請求項２５に記載の、医療データを薬剤投与装置からサーバシステムに転送する方法、
請求項２８に記載の、医療データを医療装置からサーバシステムに転送するシステム、
請求項３０に記載の、医療データを薬剤投与装置からサーバシステムに転送するシステム、
請求項３２に記載の薬剤投与装置。
【００１６】
本明細書において、本体と制御部を備え、本体のドッキングインタフェース空洞の第１部分が、医療装置の対応するドッキングインタフェースの第２部分と接続し、制御部が、ドッキングした医療装置との通信のための医療装置通信インタフェースとサーバ通信インタフェースを制御する、医療装置接続ステーションが開示される。制御部は、ドッキングした医療装置から医療装置通信インタフェースを介し医療データを取得するよう構成され、さらに、サーバ通信インタフェースを介してサーバシステムに接続し、データセッションを取得するよう構成され、それにより医療データをサーバシステムに転送する。
【００１７】
本発明の第１の局面によれば、医療装置接続ステーションは、前記本体に連結され第１位置と第２位置の間で可動である蓋をさらに備え、蓋は、第１位置においてはドッキングインタフェースの第１部分が医療装置のドッキングインタフェースの第２部分とドッキングすることを妨げ、第２位置においては、ドッキングインタフェースの第１部分がドッキングインタフェースの第２部分とドッキングが可能となる。
【００１８】
本発明の第２の局面によれば、サーバ通信インタフェースはセル式携帯電話ネットワークインタフェースを備える。有利なことに、患者は、医療データをサーバにアップロードするために医療用コンピュータ装置を医師の元へ運ぶ必要がなく、アップロードはセル式携帯電話ネットワークインタフェースを介してリモートで行うことができる。また、医療用コンピュータ装置は、ＨＣＰが医療データをサーバシステムに転送するという中間工程を必要としないため、ＨＣＰにとって便利なものである。また、医療用コンピュータ装置は、セル式携帯電話ネットワークインタフェースにより各セルの領域で無線通信が可能なため、広範な場所で使用できる。接続ステーションにそのようなセル式携帯電話ネットワークデータ転送能力を持たせることは、薬剤投与装置にこの能力を組み込むことに比べ、種々の管轄官庁、例えば米国食品医薬品局（ＦＤＡ）の承認の点で利点がある。特に、新機能を組み込んだ薬剤投与装置は承認に数年を要することがあるが、承認済みの薬剤投与装置と組み合わせて用いる接続ステーションの場合は、仮に承認が必要だとしても、承認がより容易に得られる可能性がある。
【００１９】
医療装置自体ではなく医療装置接続ステーションを用いて医療データを転送することにより、医療装置を使い捨て式とし、接続ステーションを再利用可能とし、通信インタフェースや制御部といった比較的高額の部品を接続ステーションの一部とすることができる。さらに、例えば診療機関などで１つの接続ステーションを複数の医療装置に対して用いることができる。さらにまた、前述の部品を接続ステーションの一部とすることで医療装置の寸法と重量を減らすことができる。これは患者が医療装置を携行して日常的に使用する場合に特に利点となる。
【００２０】
医療データを転送するための専用のドッキング式接続ステーションは、移動電話等の汎用デバイスと異なり、医療装置を接続ステーションにドッキングさせるだけで確実に医療データの転送ができることから使用の際の利便性が高い。これに対し、移動電話の場合、使用者は電話機に特定のソフトウェアをインストールした上で、データ転送のたびに、医療装置と移動電話の接続が確立していることを確認する必要がある。さらに、汎用デバイスは本質的にセキュリティの面で劣る。
【００２１】
医療装置接続ステーションは、第１位置と第２位置の間の蓋の動作を感知するよう構成された蓋動作感知部を備え、それにより制御部に信号を送り、制御部は前記信号を受信するとリモートのサーバシステムへの接続を開始するよう構成される。
【００２２】
有利なことに、蓋を第１位置から第２位置に動かすことは、特に装置の扱いが一層困難になるような症状を抱える患者にとっても簡便であるから、これにより本発明の諸課題が解決される。また、医療装置のドッキングは必ずサーバシステムと接続ステーション間の接続開始を伴う。蓋があるため、塵や埃によるドッキングインタフェースの汚染も防止される。さらに、蓋が第１位置から第２位置に移動すると接続ステーションが自動的にサーバシステムに接続するので、その後で医療装置がドッキングする時には接続ステーションがサーバシステムにデータを転送する準備が整っている。このように、接続ステーションの操作は簡便であり、使用者が接続ステーションの操作に要する時間も短縮できる。
【００２３】
医療装置通信インタフェースは、医療データを受信するため赤外線インタフェース又は他の適当な手段を備えていてもよい。例えば、近距離通信システムを備えていてもよい。
【００２４】
蓋動作感知部は、スイッチ部と起動部材を備え機械的に起動するものでもよく、起動部材は、蓋が第１位置と第２位置の間で動くと、スイッチ部と係合しスイッチ部を起動するよう構成される。スイッチ部は信号を送るよう構成される。あるいは、蓋動作感知部は光強度又は磁界により起動するようにしてもよい。
【００２５】
蓋は本体に回動可能に連結されてもよい。あるいは、摺動可能に、並進可能に、又は可撓的に本体に連結してもよい。回動可能に連結された蓋の場合、蓋動作感知部の起動部材は、蓋と共に回転し起動部材を起動するカムを備え、起動部材は本体に回動可能に連結される。蓋と本体は、第１位置においては蓋が完全にドッキングインタフェースの第１部分を覆うよう構成されてもよい。有利には、スイッチ部は本体基部に近接し、蓋からは遠くに配置される回路基板に実装される。回路基板は、基板上に直接実装される種々の通信機能及び制御機能のための電子部品を備えていてもよく、これには無線遠隔通信技術（ＷＴＴ）（例えばＧＳＭ処理チップ）、ＳＩＭカードスロットとコネクタ、ドッキングインタフェース空洞内に収容される医療装置との赤外線又は他の形態の近距離無線通信が含まれる。赤外線受信／送信機はドッキング空洞の基部壁に設けた赤外線透過窓の直下の回路基板上に配置してもよい。
【００２６】
接続ステーションのサーバ通信インタフェースは、無線遠隔通信技術（ＷＴＴ）ネットワークインタフェース、詳細には、セル式携帯電話ネットワークインタフェース、例えばＳＩＭカードを使うＧＳＭ、３Ｇ、又は４Ｇのインタフェース、ＵＳＢ又はＲＪ４５接続等の有線ネットワークインタフェース、ＩＥＥＥ８０２．１１規格等のＷＬＡＮネットワークインタフェースのうちの少なくとも１つを備えていてもよい。ＷＴＴネットワークインタフェースの例では、遠隔地や、訪問看護師又は患者訪問をしている他の医療従事者への医療データ転送が可能となることから、そのような接続ステーションは特に有利である。
【００２７】
接続ステーションは、受け取った医療データを暗号化するための暗号化アルゴリズムを有する制御モジュールを備えていてもよい。制御部は暗号化された医療データをサーバシステムに転送するよう構成されていてもよい。こうすれば秘匿を要する医療データが安全に送信され保存される。
【００２８】
蓋動作感知部は第２位置から第１位置への蓋の動きを感知し、それにより制御部にさらなる信号を送るように構成されていてもよく、制御部は、前記さらなる信号を受信するとサーバシステムとの接続を終了するよう構成されていてもよい。これに替え、又はこれに加えて、制御部は所定の時間経過後にサーバシステムとの接続を終了するよう構成されていてもよい。こうすれば接続ステーションはエネルギーを節約できる。
【００２９】
医療装置は、薬剤の皮下投与用に構成された薬剤投与装置としてもよく、又は、例えば吸入器を用いたエアロゾル等の他の手段もしくは経口投与用に構成してもよい。医療データは薬剤投与計画に関連したものでもよい。
【００３０】
さらに本明細書では、医療データを医療装置からリモートサーバシステムに転送するシステムが開示される。当該システムは医療装置、リモートサーバシステム、及び上記のいずれかの局面の特徴を備えた医療装置接続ステーションを備える。
【００３１】
当該システムはさらに、医療専門家（ＨＣＰ）が医療データを確認できるように、サーバシステムの医療データにインターネットでリモートアクセスするよう構成されたリモートコンピュータ装置を備えていてもよい。
【００３２】
さらに本明細書では、上記のいずれかの局面の特徴を備えた医療装置接続ステーションを用い、医療データを医療装置からサーバシステムに転送する方法が開示される。
【００３３】
当該方法は、医療装置上の医療データを取得することと、接続ステーションをサーバシステムに接続することと、ドッキングインタフェースの第１部分と第２部分を連結することにより、医療装置を接続ステーションにドッキングさせることと、医療装置の通信インタフェース及び接続ステーションの医療装置通信インタフェースを介して、医療データを医療装置から接続ステーションに転送することと、接続ステーションのサーバ通信インタフェースを介して、医療データを接続ステーションからサーバシステムに転送することとを含む。第１の局面によれば、接続ステーションのシステムへの接続は、蓋を第１位置から第２位置に動かすことにより開始される。
【００３４】
当該方法は、受け取った医療データを制御モジュールの暗号化アルゴリズムにより接続ステーション上で暗号化し、前記暗号化された医療データをサーバシステムに転送することをさらに含んでいてもよい。当該方法は、医療データをサーバシステムのデータベース上に保存することをさらに含んでいてもよい。当該方法は、ＨＣＰがコンピュータ装置を用いインターネットで医療データにリモートアクセスすることをさらに含んでいてもよい。
【００３５】
さらに本明細書では、上記のいずれかの局面の特徴を備えた医療装置接続ステーションの組立方法が開示される。
【００３６】
当該方法は、制御部、医療装置通信インタフェース、サーバ通信インタフェースを回路基板に実装することと、前記部品を実装した回路基板を本体のハウジングに挿入し、回路基板がハウジング基部に隣接する配置となるようにすることと、固定手段を用い回路基板をハウジングに固定することと、蓋を本体に可動に取り付けることとを含む。
【００３７】
有利なことに、通信インタフェースや蓋動作感知部の部品を含む種々の部品は、本体ハウジング内部への回路基板の取り付けの前に、回路基板に直接実装してもよいので便利である。
【００３８】
当該方法は、回路基板上の医療装置通信インタフェースの赤外線インタフェースがドッキングインタフェース空洞の底壁の透過窓を通して医療データを受け取れるような配置で回路基板をハウジングに挿入することをさらに含んでいてもよい。
【００３９】
当該方法は、回路基板の挿入の前にスイッチ部を回路基板に実装することをさらに含んでいてもよく、ここで、蓋動作感知部は機械的に起動され、スイッチ部及び起動部材を備え、起動部材は、蓋が第１位置と第２位置の間で動くにつれ、スイッチ部に係合しこれを起動するよう構成され、スイッチ部は信号を送るよう構成される。
【００４０】
当該方法は、回路基板に実装されたサーバ通信インタフェースのＳＩＭカードコネクタに、本体ハウジングの孔を通してＳＩＭカードを接続することをさらに含んでいてもよい。
【００４１】
本発明の他の目的と有利な特徴は、特許請求の範囲、実施形態の説明、及び添付の図面から明らかなるであろう。
【００４２】
本発明のより良い理解のために、また、本発明の実施形態がいかにして実行されるかを示すため、例示として添付の概略図を参照する。
【図面の簡単な説明】
【００４３】
【図１】医療装置接続ステーションを介し医療データを医療装置からサーバシステムにリモートで転送する医療システムの説明図である。
【図２】図１の接続ステーションの種々の動作状態を示す斜視図である。
【図３】図１の接続ステーションの分解図である。
【図４】図１の接続ステーションの理想化による種々の機能ブロックを示すブロック図である。
【図５】図１の接続ステーションの側断面図である。
【発明を実施するための形態】
【００４４】
図１は、医療装置接続ステーション１０を介し、医療データ４を医療装置６からリモートサーバシステム８にリモートで転送する医療システム２を示す。サーバシステムは、コンピュータ化された患者ケアシステム又は電子的医療プラットフォームの一部であってもよい。医療データ４はサーバシステム８に保存され、医療専門家（ＨＣＰ）が、例えばインターネット又はＬＡＮでコンピュータ装置１２を介しアクセスする。
【００４５】
例示的実施形態において、医療装置６は薬剤投与装置を備える。薬剤投与装置は、薬剤の皮下投与向けに構成された薬剤投与装置としてもよく、又は、例えば吸入器を用いたエアロゾル等の他の手段もしくは経口投与向けに構成してもよい。あるいは、医療装置は、前記薬剤投与装置から医療データを受け取ることができる中間的医療通信装置を備えていてもよい。
【００４６】
医療装置６は、接続ステーション通信インタフェースを介して医療データを取得、保存、送信する信号処理回路を備える。信号処理回路は、制御部、医療データ取得部、及び記憶部からなるものとして理想化することができる。医療データ取得部は、医療データを取得するよう構成され、例えば投薬量を検知するセンサ、又は関連するハードウェアとの通信インタフェースを備えていてもよい。制御部は医療データを処理し記憶部に保存するよう構成される。記憶部はフラッシュメモリ等の非揮発性メモリからなるものとしてもよい。さらに制御部は保存した医療データを接続ステーション通信インタフェースを介して接続ステーションに送信するよう構成される。これについては以下でさらに詳しく説明する。
【００４７】
医療装置６は医療データ表示用の表示手段等のユーザインタフェースと、医療データ入力及び／又は医療装置操作のための選択キーを備えたユーザ用入力装置をさらに備えていてもよい。医療装置は、日時と関連付けた医療データを提供するために医療データを同期する時計モジュールをさらに備えていてもよい。
【００４８】
医療装置６は、医療装置接続ステーション１０とドッキングするためのドッキングインタフェースの第２部分を備える。
【００４９】
本明細書において、医療データは、患者の生理学的パラメータを含む、治療計画に関するあらゆるデータ、及び投薬装置又は他の関連の医療装置に関するデータと定義される。例えば、医療データは以下のものからなるリストを少なくとも１つ含んでいてもよい。識別コード及び／又はバッチ番号識別コードにより識別可能な薬剤、投薬量、１又は複数の投薬の時刻、投与計画の遵守状況、製造番号等の医療装置識別コード、医療装置ソフトウェア識別コード、患者識別コード、使用者の生理学的パラメータ、例えば、体温、脈拍、血圧、血糖値、ガルバニック皮膚表面、薬剤に対する生理反応又はその他のパラメータ、医療装置の動作に関するパラメータ、例えば、エラーコード、サービス装置コード、保守点検アラーム、薬剤レベル等のパラメータ。
【００５０】
適切な医療装置の例が国際公開第２００５／０７７４４１号、国際公開第２００６／０８５１７５号、国際公開第２００６／０８５２０４号、及び国際公開第２００７／０８８４４４号に示されており、その内容は参照により本明細書に援用される。これら装置は完全自動化されているため、皮下投与部材速度、穿通深度、用量等の医療データは、関連ハードウェアを伴う医療データ取得部のインタフェースによって取得可能である。
【００５１】
医療装置は、データを接続ステーションから受け取るように構成してもよく、又は接続ステーション通信インタフェースもしくは他の適切な通信インタフェースを介してサーバシステムから受け取るようにしてもよい。受け取るデータは、例えばソフトウェアアップデート、薬剤情報、又は新しい治療計画であり得る。
【００５２】
次に、図２と図３を参照すると、接続ステーション１０は、基部１８、側壁２０及び頂部壁２２からなるハウジング１６を備える本体１４を有する。本体１４は医療装置６のドッキングインタフェースの第２部分９４とドッキングするよう構成されたドッキングインタフェースの第１部分２４をさらに備える。
【００５３】
本例においては、医療装置６を便利よく垂直方向にドッキングできるように、ドッキングインタフェースの第１部分２４はハウジング１６の頂部壁２０上に配置されている。しかし、ハウジング１６の他の場所、例えば側壁１８に配置することも可能である。
【００５４】
ドッキングインタフェースは、医療装置６の本体１４に対する三次元の位置を制限することのできる任意の仕組みを備える。この目的のため、ドッキングインタフェースの第１部分と第２部分は、片方のドッキング部分が少なくとも部分的に他のドッキング部分の内部に収まる相補的形状とすることができる。本例では。ドッキングインタフェースの第１部分２４は、ハウジング１６の頂部壁２２と基部１８の間に延びるドッキングインタフェース空洞２４を備える。ドッキングインタフェース空洞２４は底壁２８と側壁３０を備える。ドッキングインタフェースの第２部分９４はドッキングインタフェース空洞２４に挿入可能な医療装置６の一端を備える。ドッキングインタフェース空洞２４の側壁３０は、医療装置６の外面形状に対応する２つの平行な側面を有する楕円形の部分を画成する。他の形状の医療装置を用いること、及びこれに従って他の形状のドッキングインタフェースを用いることができることは理解されるであろう。
【００５５】
ドッキングインタフェースは医療装置が正しい向きでのみドッキングされるような形状とすることができる。この目的のため、ドッキングインタフェースは非対称の輪郭を持つようにしてもよい。本例では、医療装置６の側面の曲面を非対称とすることにより、非対称の輪郭を実体化している。ドッキングインタフェースの第２部分９４及び／又は第１部分２４はドッキングを容易にするため先細にすることができる。本例では、この目的のために医療装置の一端を先細にしている。
【００５６】
本体１４のハウジング１６は、契約者識別モジュール（ＳＩＭ）カードホルダ３２をさらに備えるようにしてもよい。図３に示す例では、ＳＩＭカードホルダはハウジング１６の側壁２０に配置され、ＳＩＭカードをスロットに抜き差しできるように支持するトレイを備える。
【００５７】
ドッキングインタフェース空洞２６は透過窓３４をさらに備えていてもよく、本例では図２ｂに示すように空洞の底壁２８に透過窓を配置している。透過窓３４は、赤外線通信システムを備えた例においては、医療データ４が透過窓を通って転送されるように構成される。これにつき以下でより詳しく説明する。
【００５８】
図２ｂ、図３、及び図４を参照すると、接続ステーション１０は信号処理回路３６を備え、医療装置６から医療データ４を取得し、その医療データをサーバシステム８に送信する。図４に示すように、信号処理回路３６は、制御部３８、医療装置通信インタフェース４０、及びサーバ通信インタフェース４２を備えるものとして理想化できる。信号処理回路は、記憶部４４と制御モジュール４６をさらに備えるようにしてもよい。
【００５９】
制御部３８は、医療装置通信インタフェース４０を制御し、ドッキングした医療装置６の接続ステーション通信インタフェースから医療データ４を受け取るよう構成してもよい。制御部３８はさらに医療データ４を処理するよう構成され、一時的にデータの少なくとも一部を記憶部４４に保存するようにしてもよい。さらに制御部３８は、サーバ通信インタフェース４２を介しサーバシステム８に接続してデータ転送セッションを取得し、それにより処理済医療データ４をサーバシステム８に転送するよう構成してもよい。
【００６０】
本明細書において、データ転送セッションという用語は、接続ステーションとサーバシステム間の半永続的な情報交換を指す。例えば、セッションはＨＴＴＰＳ（ハイパーテキスト転送プロトコルセキュア）又はＴＣＰ／ＩＰ上の他の適切なセッションを含む。接続ステーションが無線遠隔通信技術（ＷＴＴ）を用いてサーバシステムに接続する実施形態においては、セッションは、接続ステーションとＷＴＴサービスプロバイダ間のＧＰＲＳ又はＵＭＴＳ等のＷＴＴ接続、及び、ＷＴＴサービスプロバイダとサーバシステム８間のＨＴＴＰＳ又は他の適当なＴＣＰ／ＩＰによるインターネット接続を含む。
【００６１】
制御モジュール４６は、通信インタフェースの操作と処理を可能にするソフトウェアを備える。ソフトウェアは、例えば、記憶部４４又は制御部４６の別の記憶部に保存してもよい。制御モジュール４６は、暗号化した医療データ４８を接続ステーション１０からサーバシステム８に送れるように、医療データ４の暗号化のための暗号化アルゴリズムを備えていてもよい。暗号化アルゴリズムは対称型でも非対称型でもよい。適当な暗号化アルゴリズムの例としてブローフィッシュとＡＥＳがある。非対称型暗号化アルゴリズムの一例は鍵ペア型である。その公開鍵は、公開鍵の所有者を確認するための認証を付して送ることができ、この場合、認証は認証局によって確認される。
【００６２】
有利な一例において、接続ステーション１０の医療装置通信インタフェース４０と医療装置６の接続ステーション通信インタフェースは、医療装置がドッキング状態にあるときにのみ通信が行える通信システムを備える。例えば、通信システムは近距離の見通し線でデータ転送ができる赤外線送受信機を備えていてもよい。あるいは、通信システムは近距離通信システムであってもよい。
【００６３】
図２ｂと図３に示す例において、赤外線送受信機４０はドッキングインタフェースのドッキングインタフェース空洞２６の底壁２８の近傍に位置し、透過窓３４を通しデータを送受信できる。対応する赤外線送受信機と透過窓が医療装置６上に設けられる。
【００６４】
接続ステーション１０のサーバ通信インタフェース４２は無線又は有線のデータ送信に適した任意の手段を備える。このインタフェースは、有線通信用に、コンピュータ装置又はネットワークハブ等の他のネットワーク装置に接続するための、ＵＳＢインタフェース又はイーサネットＲＪ４５等の有線インタフェースを備えていてもよい。無線通信用には、ＷＬＡＮインタフェース等の無線インタフェース、又はＧＳＭもしくは３Ｇセル式携帯電話ネットワーク等のセル式携帯電話ネットワークインタフェースを備えていてもよい。接続ステーション１０は、上記の１又は複数の組み合わせを備えていてもよく、例えば、ＵＳＢインタフェース、ＷＬＡＮインタフェース、及びセル式携帯電話ネットワークインタフェースを備えていてもよい。前記インタフェースは接続ステーション１０の制御モジュール４６のアプリケーションソフトウェアのアップデートに用いることもできる。
【００６５】
有線インタフェースの例では、接続ステーション１０をコンピュータ装置に接続し、コンピュータ装置を介して、インターネットを備える通信ネットワーク上でデータをサーバシステム８に送ることができる。
【００６６】
無線インタフェースにＷＬＡＮインタフェースを用いた例においては、接続ステーション１０を、例えば無線ネットワークハブを介してコンピュータ装置に接続し、コンピュータ装置を介して、インターネットを備える通信ネットワーク上でデータをサーバシステム８に送信することができる。
【００６７】
図１を参照すると、無線インタフェースにセル式携帯電話ネットワークインタフェースを用いた例においては、接続ステーション１０は遠隔通信ネットワーク５０に接続する。遠隔通信ネットワーク５０は、無線遠隔通信転送ネットワーク（ＷＴＴ）５２とインターネット５４を備える。ＷＴＴネットワーク５２は、Ｖｏｄａｐｈｏｎｅ（商標）等のサービスプロバイダ５６、汎用パケット無線サービス（ＧＰＲＳ）サーバ５８を備える。データは、ＷＴＴネットワーク５２とインターネット５４経由でＧＰＲＳサーバ５８を介しサーバシステム８に送信することができる。この例では、接続ステーション１０は、サービスプロバイダ５６によりＷＴＴネットワーク５２上で接続ステーションが識別され認証されるよう、図３に示すように契約者識別モジュール（ＳＩＭ）６０を備えていてもよい。
【００６８】
サーバシステム８は医療データ４、４８を保存するデータベースを備える。医療データ４８が接続ステーション１０の暗号化アルゴリズムにより暗号化される例においては、医療データは暗号化された形式で保存しても復号化された形式で保存してもよい。例えば、データは暗号化して、秘密鍵等の関連する復号化アルゴリズムとともに保存してもよい。あるいは、サーバシステム８の復号化アルゴリズムで復号化し、復号化された形式で保存してもよい。
【００６９】
接続ステーション１０は、第１位置と第２位置の間で可動となるように本体１４に連結された蓋をさらに備える。第１位置においては、蓋は医療装置６のドッキングインタフェースの第２部分９４が接続ステーション１０のドッキングインタフェースの第１部分２４とドッキングするのを妨げる。第２位置においては、ドッキングインタフェースの第２部分はドッキングインタフェースの第１部分とドッキング可能となる。
【００７０】
蓋を本体に可動に連結するには種々の様態が可能であり、例えば、溝と案内板により摺動可能に連結してもよく、弾性部材により実現される可撓連結体により可撓的に連結してもよく、スリーブと同軸の突起により回転可能に連結してもよく、回動可能に連結してもよい。
【００７１】
接続ステーションとサーバ間の接続及びその後のデータセッションは、信号処理回路の制御部が接続開始部からの信号を受信すると開始されるようにしてもよい。接続ステーションは、ハウジングに取り付けられたアクチュエータを備え、アクチュエータの押下により接続が開始されるようにしてもよい。アクチュエータは、例えばハウジングにボタンを配し、使用者が手動で起動するようにしてもよい。あるいは、アクチュエータは、例えば接続ステーションとのドッキング中に医療装置により押下されるボタンを備え、自動で起動されるようにしてもよい。接続開始部は、ドッキング中に光強度の変化にさらされる感光ダイオード等の光感知手段を備えていてもよく、又はこれに替えて、ドッキング中に動作するリードスイッチもしくは他の装置等の磁気検出手段を備えていてもよい。
【００７２】
図２と図３に示す例において、接続開始部は蓋と蓋動作感知部を備え、これらは、追ってより詳しく説明するように、蓋の動きに伴って接続を開始するように構成されている。他方、接続ステーションは蓋を備えていてもよいことが理解されるであろう。
【００７３】
蓋６２は本体１４に回動可能に連結される。蓋６２はドッキングインタフェース２４を覆うためのカバー部６４、及び回動可能な連結のためのヒンジ部６６を備える。ヒンジ部６６はスリーブ６８を備え、スリーブ６８の中を通って心棒７０が延びている。心棒７０は起動カム部７２を備える。その動作については、追ってより詳しく説明する。心棒７０はハウジング１６の頂部壁２２のハブ７４の中にさらに延びている。心棒７０はハブ７４内で蓋６２とともに回転し、蓋の回転が起動カム部７２を起動する。他の適当な回動可能な蓋の取り付け方法も考案できることが理解されるであろう。例えば、心棒は本体又は蓋の一方と一体とし、本体又は蓋の他方の対応するハブに挿入することができる。さらに、起動カム部はスリーブと一体としてもよい。図２は、蓋６２が第１位置にあるところを示し、図２ｂは、蓋６２が第２位置にあるところを示し、図２ｃは、蓋６２が第２位置にあり、医療装置６が接続ステーション１０とドッキングしているところを示す。
【００７４】
蓋６２は、付勢部材により第１位置に向けて付勢してもよい。図２と図３に示す回動可能な取り付け例においては、付勢部材は、心棒に巻きつけられ一端を蓋に他端を本体に当接させたねじりばねを備えていてもよい。
【００７５】
接続ステーション１０は、第１位置と第２位置の間の蓋の動作を感知し、それにより信号処理回路３６の制御部３８に信号を送るよう構成された蓋動作感知部を備える。制御部３８はその信号を受信しサーバシステム８（これにはＧＰＲＳサーバ又はコンピュータ装置及びハブ等、前記のあらゆる中間装置が含まれる）への接続を開始させる。
【００７６】
蓋動作感知部は様々な構成を備えることができ、例えば、第１位置と第２位置の間での蓋の動きに伴って光の強度の変化にさらされる感光ダイオード等の、光感知手段を備えていてもよく、第１位置と第２位置の間での蓋の動きに伴って磁石によって動作するリードスイッチもしくは他の装置等の、磁界検知部を備えていてもよく、蓋が第１位置と第２位置の間で動くにつれ起動部材により起動されるスイッチ部等の、機械的に起動されるユニットを備えていてもよい。
【００７７】
図３と図５に示す例においては、蓋は回動可能に本体に連結されており、蓋動作感知部７６は機械的に起動される。レバーの形状を成す起動部材７８が回転軸８０により回動可能に支持され、回転軸８０の両側に、起動カム６２係合端を有する第１部分８２と、スイッチ部係合端を有する第２部分８４とを画成する。第１部分８２は上述の起動カム７２に係合し、蓋が第１位置と第２位置の間で動くと起動部材７８がカム７２により起動される。起動部材が起動すると、第２部分８４がスイッチ部８６を起動させる。起動部材７８は、起動部材７８が起動カム７２に接触するように付勢する付勢部材を備える。本例では、付勢部材は、心棒７０に巻きつけられ一端を起動部材７８に他端を本体１４に当接させたねじりばね９８である。
【００７８】
スイッチ部８６は、信号処理回路３６の制御部３８に電気的に接続し、スイッチ部８６からの信号を制御部が受信できるようにする。この例では、スイッチ部は押圧力により起動するように配置されているが、これに替えて、起動部材７８の第２部分８４の反対側にスイッチ部を配置することにより、押圧力からの開放により起動するよう配置してもよい。さらに、他の機械的に起動されるユニットを用いてもよく、例えば、起動部材なしで蓋の起動カムが直接スイッチ部を起動するようにしてもよく、スイッチ部を起動部の第１部分により起動するようにして起動部の第２部分を不要にしてもよい。
【００７９】
信号処理回路３６は、上記の種々の部品が実装される回路基板８８をさらに備えていてもよい。図３の例では、回路基板８８には制御部３８、記憶部４４、通信インタフェース４０と４２、及びスイッチ部８６が実装されている。医療装置通信インタフェース４０の赤外線送受信機は、透過窓３４を通してデータ送信できるように、回路基板８８上で透過窓３４の下方の位置に配置される。蓋動作感知部のスイッチ部８６は、起動部材７８による起動に便利良く回路基板上に支持されている。本例では、回路基板は、ＳＩＭカードホルダ３２のＳＩＭカード７２と接続するためのＳＩＭカードコネクタ９０、及びセル式携帯電話ネットワーク接続チップを備え、これらは回路基板上に実装される。
【００８０】
このように、回路基板を本体１４のハウジング１６内部に組み込む前に、前もって種々のハードウェア電子部品を回路基板８８上に組立てることができるので便利がよい。回路基板をハウジング内に配置しハウジングに固定するには、種々の手段を用いることができる。本例では、回路基板は平面状であり基部１８に平行に配置される。回路基板は、固定手段９６により基部１８とハウジング１６に固定され、固定手段はここでは基部を貫通しハウジング１６に垂直に挿入される４本のボルトを備える。
【００８１】
信号処理回路３６は、接続ステーションの状況を示す状況表示部をさらに備えていてもよい。表示する状況は、例えば、送信データ状況、データ送信完了状況、始動状況、エラー状況のうちの１つとしてもよい。状況表示部は制御部３８と接続しその制御を受けるようにしてもよい。図３に示す状況表示部９２は、１又はある範囲の波長の光を放射できる１又は複数の、ＬＥＤ等の光表示手段を備える。
【００８２】
信号処理回路の制御部は、接続開始部からさらなる信号を受信するとサーバシステムとの接続を終了するよう構成してもよい。蓋と蓋動作感知部を含む例においては、蓋が第２位置から第１位置に動くと、例えば、制御部が蓋動作感知部からさらなる信号を受信することに反応して接続が終了される。制御部は、所定の時間経過後にサーバシステムとの接続を終了するよう構成してもよい。所定の時間は、例えば、医療データのサーバシステムへの送信にかる典型的な時間としてもよい。
【００８３】
信号処理回路３６は、データ転送セッションが必要なときには、状況表示部を用いる等により、使用者に通知するよう構成してもよい。これに替えて、又はこれに加え、そのように動作するように医療装置を構成してもよい。データセッションの頻度は、ＨＣＰが指定してもよく、又はＨＣＰがコンピュータ装置１２からサーバシステム８を介して接続ステーション１０に送るリクエストにより指定してもよい。
【００８４】
次に、医療データを医療装置からリモートサーバシステムにリモートで転送するシステムの第２の実施形態を説明する。本実施形態においては、医療装置は薬剤投与装置であり、医療データを直接サーバシステムに送信し、従って第１の実施形態における接続ステーションは必要ない。本実施形態における薬剤投与装置は、第１の実施形態の医療装置を備えるが、第１の実施形態における接続ステーションにあった種々の要素を付加したものとなっている。
【００８５】
薬剤投与装置は薬剤の皮下投与用に構成してもよく、又は例えば吸入器を用いたエアロゾル等の他の手段もしくは経口投与用に構成してもよい。
【００８６】
薬剤投与装置は信号処理回路を備え、サーバ通信インタフェースを介し医療データを取得、保存、送信する。信号処理回路は、制御部、医療データ取得部、及び記憶部からなるものとして理想化することができる。医療データ取得部は、医療データを取得するよう構成され、例えば投薬量を検知するセンサ、又は他のハードウェアインタフェースを備えていてもよい。制御部は医療データを処理し記憶部に保存するよう構成される。記憶部はフラッシュメモリ等の非揮発性メモリからなるものとしてもよい。さらに制御部は、サーバ通信インタフェースを介してサーバシステムに接続しデータセッションを取得し、それにより医療データをサーバシステムに転送するよう構成される。
【００８７】
医療装置は医療データ表示用の表示手段等のユーザインタフェースと、医療データ入力及び／又は医療装置操作のための選択キーを備えたユーザ用入力装置をさらに備えていてもよい。制御部は、ユーザインタフェース部からの信号を受信しサーバシステムへの接続を開始するよう構成してもよい。これに替えて、又はこれに加え、制御部は、所定の時刻にサーバシステムへの接続を開始するよう構成してもよい。
【００８８】
医療装置は、日時と関連付けた医療データを提供するため医療データを同期する時計モジュールをさらに備えてもよい。
【００８９】
サーバ通信インタフェースは、上述したセル式携帯電話ネットワークインタフェースを備える。医療装置は、同じく上述の他の通信インタフェースを備えてもよい。
【００９０】
信号処理回路は、第１の実施形態に関して説明した暗号化アルゴリズムを有する制御モジュールをさらに備えてもよい。従って、制御モジュールは、取得した医療データを暗号化し、暗号化した医療データをサーバシステムに送信するよう構成することができる。
【符号の説明】
【００９１】
２  薬剤投与システム
４  医療データ
４８  暗号化された医療データ
６  医療装置（薬剤投与装置）
信号処理回路
制御部
記憶部
医療データ取得部
接続ステーション通信インタフェース
ユーザインタフェース
９４  ドッキングインタフェースの第２部分
８  サーバシステム
１０  医療装置接続ステーション
１４  本体
１６  ハウジング
１８  基部
２０  側壁
２２  頂部壁
３２  ＳＩＭカードホルダ
９６  固定手段
２４  ドッキングインタフェースの第１部分
２６  ドッキングインタフェース空洞
２８  底壁
３４  透過窓
３０  側壁
６２  蓋
６４  カバー部
６６  ヒンジ部
６８  スリーブ
７０  心棒
７２  起動カム部
７４  ハブ
７６  蓋動作感知部
７８  起動部材
８０  回転軸
９８  付勢部材
８２  第１部分
起動カム係合端
８４  第２部分
スイッチ係合端
８６  スイッチ部
３６  信号処理回路
３８  制御部
４０  医療装置通信インタフェース
近距離無線送受信機
赤外線送受信機
４２  サーバ通信インタフェース
６０  ＳＩＭカード
９０  ＳＩＭカードコネクタ
セル式携帯電話ネットワーク接続チップ
４４  記憶部
４６  制御モジュール
８８  回路基板
９２  状況表示部
１２  コンピュータ装置
５０  遠隔通信ネットワーク
５２  ＷＴＴネットワーク（無線遠隔通信転送ネットワーク）
５６  サービスプロバイダ
５８  ＧＰＲＳサーバ（汎用パケット無線サービスサーバ）
５４  インターネット
【図１】
2020074116.tif 000003
【図２】
2020074116.tif 000004
【図３】
2020074116.tif 000005
【図４】
2020074116.tif 000006
【図５】
2020074116.tif 000007
【外国語明細書】
2020074116000001.pdf